(57)【要約】      （修正有）【課題】構造が簡単であり廉価であると共に、その操作が極めて容易である接合部材を提供する。【解決手段】矩形状の凸状輪郭部分１と、この矩形状の凸状輪郭部分１の側面に隣接してその下側に配置した矩形状の凹状輪郭部分２とを１サイクルとする波形パネル素子の複数サイクルが長手方向に連続して形成されている一方及び他方のパネル板３とより成る。一方のパネル板３の凹状輪郭部分２の外面４が建物５に固定され、他方のパネル板３の凹状輪郭部分２の外面６が家具７に固定される。各パネル板３の矩形状の凹状輪郭部分２の両側面が夫々円弧状に外方に膨らんでおり、一方のパネル板３の凸状及び凹状輪郭部分１，２と、他方のパネル板３の凹状及び凸状輪郭部分２，１が互に嵌合される。【選択図】図１
0003186365.tif 000002
【実用新案登録請求の範囲】
【請求項１】
矩形状の凸状輪郭部分と、この矩形状の凸状輪郭部分の側面に隣接してその下側に配置した矩形状の凹状輪郭部分とを１サイクルとする波形パネル素子の複数サイクルが長手方向に連続して形成されている一方及び他方のパネル板とより成り、上記一方のパネル板の凹状輪郭部分の外面が建物に固定され、上記他方のパネル板の凹状輪郭部分の外面が家具に固定されると共に、上記各パネル板の上記矩形状の凸部及び凹状輪郭部分の両側面が夫々円弧状に外方に膨らんでおり、上記一方のパネル板の凸状及び凹状輪郭部分と、上記他方のパネル板の凹状及び凸状輪郭部分が互に嵌合されることを特徴とする接合部材。
【請求項２】
矩形状の凸状輪郭部分と、この矩形状の凸状輪郭部分の側面に隣接してその下側に配置した矩形状の凹状輪郭部分とを１サイクルとする波形パネル素子の複数サイクルが長手方向に連続して形成されている一方及び他方のパネル板とより成り、上記一方のパネル板の凹状輪郭部分の外面が建物に固定され、上記他方のパネル板の凹状輪郭部分の外面が家具に固定されると共に、上記各パネル板の上記矩形状の凹状輪郭部分の両側面が夫々円弧状に外方に膨らんでおり、上記一方のパネル板の凸状及び凹状輪郭部分と、上記他方のパネル板の凹状及び凸状輪郭部分が互に嵌合されることを特徴とする接合部材。
【考案の詳細な説明】
【技術分野】
【０００１】
本考案は、接合すべき部材、例えば家具と建物を突き合わせた状態で接合するのに用いる接合部材に関する。
【背景技術】
【０００２】
例えば、地震による被害を軽くする為に家具等の転倒防止策が推奨されているが、現存の多くの方法は、建物に一度固定するとその後の家具の着脱、移動が容易でない欠点がある。これを解決した家具等と建物との接続手段としては、特許文献１に示されるものがある。
【０００３】
【特許文献１】特開２００６−１７１９８号公報
【考案の概要】
【考案が解決しようとする課題】
【０００４】
然しながら上記特許文献１に示すものは構造が複雑で高価なものとなり、その操作も面倒であった。
本考案の接合部材は、構造が単純であり廉価であると共に、その操作が極めて容易である。
【課題を解決するための手段】
【０００５】
本考案の接合部材は、矩形状の凸状輪郭部分と、この矩形状の凸状輪郭部分の側面に隣接してその下側に配置した矩形状の凹状輪郭部分とを１サイクルとする波形パネル素子の複数サイクルが長手方向に連続して形成されている一方及び他方のパネル板とより成り、上記一方のパネル板の凹状輪郭部分の外面が建物に固定され、上記他方のパネル板の凹状輪郭部分の外面が家具に固定されると共に、上記各パネル板の上記矩形状の凸部及び凹状輪郭部分の両側面が夫々円弧状に外方に膨らんでおり、上記一方のパネル板の凸状及び凹状輪郭部分と、上記他方のパネル板の凹状及び凸状輪郭部分が互に嵌合されることを特徴とする。
また、本考案の接合部材は、矩形状の凸状輪郭部分と、この矩形状の凸状輪郭部分の側面に隣接してその下側に配置した矩形状の凹状輪郭部分とを１サイクルとする波形パネル素子の複数サイクルが長手方向に連続して形成されている一方及び他方のパネル板とより成り、上記一方のパネル板の凹状輪郭部分の外面が建物に固定され、上記他方のパネル板の凹状輪郭部分の外面が家具に固定されると共に、上記各パネル板の上記矩形状の凹状輪郭部分の両側面が夫々円弧状に外方に膨らんでおり、上記一方のパネル板の凸状及び凹状輪郭部分と、上記他方のパネル板の凹状及び凸状輪郭部分が互に嵌合されることを特徴とする。
【考案の効果】
【０００６】
本考案による接合部材は、同一形状の一対の係合部品より成るから、１種類の係合部品を製作すればよく、接合部材の製作コストを低減でき、部品管理の煩雑さを解消できる。また、この接合部材によって接合すべき部材を強固に接合できるとともに、容易に分解できる。
【図面の簡単な説明】
【０００７】
【図１】本考案の接合部材を構成する一方及び他方のパネル板の正面図である。
【図２】上記一方及び他方のパネル板を互に嵌合せしめた状態の正面図である。
【図３】本考案の他の実施例における上記一方及び他方のパネル板の正面図である。
【図４】本考案の他の実施例における上記一方及び他方のパネル板を互に嵌合せしめた状態の正面図である。
【考案を実施するための形態】
【０００８】
以下図面によって本考案の実施例を説明する。
【実施例１】
【０００９】
本考案の接合部材は、図１に示すように矩形状の凸状輪郭部分１と、この矩形状の凸状輪郭部分１の側面に隣接してその下側に配置した矩形状の凹状輪郭部分２とを１サイクルする波形パネル素子の複数サイクルが長手方向に連続して形成されている一方及び他方のパネル板３とより成り、上記一方のパネル板３の凹状輪郭部分２の外面４が建物５に接着剤やリベットにより固定され、上記他方のパネル板３の凹状輪郭部分２の外面６が家具７に接着剤やリベットにより固定されると共に、上記各パネル板３の上記矩形状の凸部輪郭部分１及び凹状輪郭部分２の両側面が夫々円弧状に外方に膨らんでおり、上記一方のパネル板３の凸状及び凹状輪郭部分１、２と、上記他方のパネル板３の凹状及び凸状輪郭部分２、１が互に嵌合される。
上記パネル板３は厚さ例えば０．６ｍｍ、幅１００ｍｍのアルミニウムや銅の金属板、または、厚さ例えば１ｍｍ、幅１００ｍｍのプラスチック板とし、上記矩形状の凸部及び凹部輪郭部分１及び２の長さは例えば２５０ｍｍとし、従って上記１サイクルの長さ（周期）は例えば５００ｍｍとする。
本考案においては上記一方のパネル板３の凹状輪郭部分２内にこの凹部２の入口を介して上記他方のパネル板３の凸状輪郭部分１を強制的に圧嵌せしめるものであるが、上記凸状輪郭部分１の両側面は外方に円弧状に膨らんでおり、従って上記凸状輪郭部分１の長さは上記凹状輪郭部分２の入口の長さより外方に膨らんでいる分だけ大きくなっているが、上記嵌合に際しては上記パネル板３の弾力性により変形し、図２に示すように上記強制的な圧嵌を許容するようになり、両者が互に嵌合した後は、地震等の振動、衝撃を受けてもみだりに離脱することがない。
また、上記建物５から家具７を引き離す場合には人力または工具を用いて互に引っ張れば一方及び他方のパネル３、３を破損することなし互に離脱できるようになる。
【実施例２】
【００１０】
本考案の他の実施例における接合部材は、図３に示すように矩形状の凸状輪郭部分１と、この矩形状の凸状輪郭部分１の側面に隣接してその下側に配置した矩形状の凹状輪郭部分２とを１サイクルとする波形パネル素子の複数サイクルが長手方向に連続して形成されている一方及び他方のパネル板３とより成り、上記一方のパネル板３の凹状輪郭部分２の外面４が建物５に接着剤やリベットにより固定され、上記他方のパネル板３の凹状輪郭部分２の外面６が家具７に接着剤やリベットにより固定されると共に、上記各パネル板３の上記矩形状の凹状輪郭部分２の両側面が夫々円弧状に外方に膨らんでおり、上記一方のパネル板３の凸状及び凹状輪郭部分１、２と、上記他方のパネル板３の凹状及び凸状輪郭部分２、１が互に嵌合される。
本考案の第２の実施例においては、図３に示すように矩形状の凸状輪郭部分１の両側面は円弧状に外方に膨らんではおらず、矩形状の凹状輪郭部分２の両側面のみ円弧状に外方に膨らんでいるため、上記矩形状の凸状輪郭部分１の側面下端と、上記凹状輪郭部分２の側面上端の接合部には水平段部８が形成されるようになる。
この第２の実施例においては上記一方のパネル素子３の凹状輪郭部分２内にその入口を介して上記他方のパネル板３の凸状輪郭部分１を強制的に圧嵌せしめれば、図４に示すように一方のパネル板３の水平段部８が他方のパネル板３の水平段部８と互に重なり合うようになり、両者のパネル板の結合が一層強いものとなる。  
【符号の説明】
【００１１】
１ 凸状輪郭部分
２ 凹状輪郭部分
３ パネル板
４ 凹状輪郭部分の外面
５ 建物
６ 凹状輪郭部分の外面
７ 家具
８ 水平段部
【図１】
0003186365.tif 000003
【図２】
0003186365.tif 000004
【図３】
0003186365.tif 000005
【図４】
0003186365.tif 000006